(57)【特許請求の範囲】
【請求項１】
円形の土留め壁を支保する支保構造であって、
袋体の内部に硬化性充填材が充填されて前記土留め壁の内周面に密着するように設置された環状の支保部材と、
前記土留め壁の内周面に取り付けられて、前記支保部材を吊り下げた状態で支持するための支持材と、を備え、
前記支保部材が前記支持材に吊り下げられた状態で、前記支保部材の吊り支点が前記支保部材の重心位置よりも前記土留め壁の径方向外側に位置していることを特徴とする支保構造。
【請求項２】
前記支保部材は、前記土留め壁の高さ方向に所定の間隔をおいて複数段に設けられることを特徴とする請求項１に記載の支保構造。
【発明の詳細な説明】
【技術分野】
【０００１】
本発明は、立坑内に設置された円形の土留め壁を支保する支保構造に関する。
【背景技術】
【０００２】
立坑内に設置された円形の土留め壁の内周面に沿って円弧状に曲げ加工したＨ型鋼等を複数設置して環状になるように組み立てて、その後、Ｈ型鋼等と土留め壁との間に隙間が生じないように間詰めモルタルを打設して土留め壁を支保する工法がある。
【０００３】
また、例えば、特許文献１には、土留め壁の内周面に密着するように構築された環状のコンクリート構造体を複数積み重ねて、最終的に、内周面を完全に覆うような多段構造のコンクリート構造体を構築し、このコンクリート構造体にて土留め壁を支保する工法が開示されている。
【先行技術文献】
【特許文献】
【０００４】
【特許文献１】特開平４−２８５２９０号公報
【発明の概要】
【発明が解決しようとする課題】
【０００５】
しかしながら、Ｈ型鋼等で土留め壁を支保する工法では、直線状に製作されたＨ型鋼等を、土留め壁の曲率と同じになるように加工しなければならないため、手間がかかり製作費が高くなってしまうという問題点があった。また、Ｈ型鋼等を設置した後のモルタルの打設にも型枠の設置及び撤去等の手間がかかり工期が長くなるという問題点があった。
【０００６】
また、特許文献１に記載の工法では、土留め壁の内周面を完全に覆うような多段構造のコンクリート構造体を構築するため、大量のコンクリートが必要となり、材料費が高くなってしまうという問題点があった。
【０００７】
そこで、本発明は、上記の問題点を鑑みてなされたものであり、手間をかけることなく短時間で、かつ、安価に構築可能な土留め壁の支保構造を提供することを目的とする。
【課題を解決するための手段】
【０００８】
本発明は、円形の土留め壁を支保する支保構造であって、
袋体の内部に硬化性充填材が充填されて前記土留め壁の内周面に密着するように設置された環状の支保部材と、
前記土留め壁の内周面に取り付けられて、前記支保部材を吊り下げた状態で支持するための支持材と、を備え、
前記支保部材が前記支持材に吊り下げられた状態で、前記支保部材の吊り支点が前記支保部材の重心位置よりも前記土留め壁の径方向外側に位置していることを特徴とする。
【０００９】
また、本発明において、前記支保部材は、前記土留め壁の高さ方向に所定の間隔をおいて複数段に設けられることとしてもよい。
【発明の効果】
【００１０】
本発明によれば、手間をかけることなく短時間で、かつ、安価に構築可能な土留め壁の支保構造を提供することができる。
【図面の簡単な説明】
【００１１】
【図１】円形の立坑内に設置された土留め壁を支保する支保構造を示す平面図である。
【図２】図１のＡ−Ａ断面図である。
【図３】図２のＢ部拡大図である。
【図４】図３のＣ矢視図である。
【図５】支保部材をワイヤーロープを介して支持する例を示す図である。
【図６】立坑の他の形状例を示す図である。
【図７】（ａ）袋体に円弧状の鉄筋を設けた例を示す図、（ｂ）袋体に直線状の鉄筋を設けた例を示す図である。
【発明を実施するための形態】
【００１２】
以下、本発明の好ましい実施形態について図面を用いて詳細に説明する。
【００１３】
図１は、円形の立坑１内に設置された筒状の土留め壁２を支保する支保構造３を示す平面図である。また、図２は、図１のＡ−Ａ断面図である。そして、図３及び図４は、それぞれ図２のＢ部拡大図及び図３のＣ矢視図である。
【００１４】
図１〜図４に示すように、土留め壁２を支保する支保構造３は、土留め壁２の内周面に沿った環状の支保部材４と、支持材５と、を備える。
【００１５】
支持材５は、複数のブラケット５ａと、隣接するブラケット５ａ間に設置されたレール５ｂと、から構成される。
【００１６】
ブラケット５ａは、土留め壁２の内周面に、周方向に所定の間隔で取り付けられている。そして、隣接するブラケット５ａ間には、土留め壁２の内周面に沿って円弧状のレール５ｂが設置されている。
【００１７】
支保部材４は、ブラケット５ａ及びレール５ｂに吊り下げられた状態で土留め壁２の内周面に密着するように設置されている。
【００１８】
支保部材４は、土留め壁２の高さ方向に所定の間隔で複数段に設置されている。支保部材４の設置間隔及び設置数は、地質や地下水位等の現場条件に基づいて設計等により適宜、決定される。
【００１９】
また、支保部材４は、内部に硬化性充填材４ｂが充填されて円弧状に脹らんだ袋体４ａを複数個、土留め壁２の内周面に沿って環状に設置することにより構築される。
【００２０】
硬化性充填材４ｂは、袋体４ａがブラケット５ａ又はレール５ｂに吊り下げられた状態で、袋体４ａの上部に設けられた注入口８から充填される。本実施形態においては、硬化性充填材４ｂとして、コンクリートを用いたが、これに限定されるものではなく、例えば、鋼繊維補強コンクリート、モルタル、樹脂性硬化材等を用いてもよい。
【００２１】
袋体４ａは、硬化性充填材４ｂが充填された状態で吊り下げられても破損しない強度を有するものを用いる。本実施形態においては、引張り強度の大きいポリプロピレンを基布とする素材の袋体４ａを用いたが、この素材に限定されるものではなく、硬化性充填材４ｂの重量等に基づいて使用に適した素材からなる袋体４ａが適宜、選定される。
【００２２】
各袋体４ａは、ブラケット５ａの下面の土留め壁２側縁部又はレール５ｂの下面を吊り支点９として、ブラケット５ａ又はレール５ｂに吊り下げられている。
【００２３】
また、図３に示すように、袋体４ａの吊り支点９は、硬化性充填材４ｂが充填された袋体４ａの重心位置１０よりも土留め壁２側（径方向外側に相当）に位置するように設けられる。このように、支保部材４の吊り支点９が支保部材４の重心よりも土留め壁２側に設けられているので、支保部材４にはその自重により径方向外向きの成分を有する力が作用し、この力によって、支保部材４を土留め壁２の内周面に密着させることができる。
【００２４】
また、ブラケット５ａは、土留め壁２の内周面に所定の間隔で取り付けられているため、支保部材４を均等な大きさの力で支持することができる。
【００２５】
ところで、環状の支保部材４の一部分が下方へ撓んで支保部材４の高さが場所によって異なると、その一部分に土留め壁２からの荷重が集中してしまい支保部材４が破損してしまう虞がある。これに対して、本実施形態においては、ブラケット５ａのみならず、隣接するブラケット５ａ間でも袋体４ａをレール５ｂで支持しているので、支保部材４の高さを一定に保つことができる。これにより、支保部材４の撓みを防止できる。したがって、上述したような支保部材４の破損を防止できる。
【００２６】
また、支保部材４は、袋体４ａ内に硬化性充填材４ｂを充填するだけで構築できるので、短時間で土留め壁２の支保構造３を構築することができる。さらに、支保部材４は、複数の袋体４ａから構成されているため、各袋体４ａへの硬化性充填材４ｂの充填作業を並行して行うことにより、より効果的に時間を短縮することができる。
【００２７】
また、背景技術の欄で記載した環状のコンクリート構造体を複数積み重ねて、最終的に、内周面を完全に覆うような多段構造のコンクリート構造体を構築する場合と比べて、本発明の支保部材４は、高さ方向に所定の間隔をおいて設置されるので、同じ高さの土留め壁２を支保する場合においては、使用するコンクリートの量を大幅に低減できる。したがって、多段構造のコンクリート構造体を構築する場合よりも安価に支保構造３を構築できる。さらに、本発明に係る支保部材４の段数は、多段構造のコンクリート構造体の段数よりも少なくてすむので、より一層、短時間で支保構造３を構築できる。
【００２８】
なお、本実施形態においては、支保部材４は複数の袋体４ａから構成されている場合について説明したが、これに限定されるものではなく、環状の袋体４ａに硬化性充填材４ｂを充填して１本物の支保部材４を構築してもよい。
【００２９】
なお、本実施形態においては、支保部材４の吊り支点９を土留め壁２側縁部に設けた場合について説明したが、この位置に限定されるものではなく、硬化性充填材４ｂが充填された支保部材４の重心位置１０よりも土留め壁２側に吊り支点９が設けられていればよい。
【００３０】
なお、本実施形態においては、ブラケット５ａ及びレール５ｂで支保部材４の上端部を直接、支持する方法について説明したが、これに限定されるものではなく、図５に示すように、ワイヤーロープ１１で支保部材４を吊り下げてもよい。
係る場合には、隣接するワイヤーロープ１１間の支保部材４が下方へ撓まないようにワイヤーロープ１１の設置間隔を設計等により適宜決定するとともに、すべてのワイヤーロープ１１の長さを同じにして、支保部材４の全周が同じ高さになるように調整する。
【００３１】
なお、本実施形態においては、円形の立坑１内に支保構造３を設置した場合について説明したが、この「円形」とは真円に限定されるものではなく、図６に示すように、短い辺からなる多角形状も含むものとする。多角形状の立坑１２に土留め壁２として鋼矢板１３が用いられている場合には、硬化性充填材４ｂが充填されると直線状になる袋体４ｃを用いることが望ましい。袋体４ｃを用いることにより鋼矢板１３の側面に密着することができるからである。
【００３２】
また、図７（ａ）及び図７（ｂ）に示すように、下端部に円弧状の鉄筋６又は直線状の鉄筋７が設けられた袋体４ａ、４ｃを用いてもよい。袋体４ａ、４ｃの下端部に鉄筋６、７が存在することにより、支保部材４の撓みを防ぎ、土留め壁２からの荷重の集中による支保部材４の破損を避けることができる。
【符号の説明】
【００３３】
１  立坑
２  土留め壁
３  支保構造
４  支保部材
４ａ  袋体
４ｂ  硬化性充填材
４ｃ  袋体
５  支持材
５ａ  ブラケット
５ｂ  レール
６  円弧状の鉄筋
７  直線状の鉄筋
８  注入口
９  吊り支点
１０  重心位置
１１  ワイヤーロープ
１２  立坑
１３  鋼矢板
【図１】
0005454337.tif 000002
【図２】
0005454337.tif 000003
【図３】
0005454337.tif 000004
【図４】
0005454337.tif 000005
【図５】
0005454337.tif 000006
【図６】
0005454337.tif 000007
【図７】
0005454337.tif 000008